(57)【要約】【課題】変調信号の全ての送信電力状態において、キャリアリーク量を低減する。【解決手段】本発明の無線通信装置は、送信信号のＩ信号およびＱ信号を出力するベースバンド部と、ベースバンド部から出力されたＩ信号およびＱ信号の直流成分を変化させる直流成分制御部と、直流成分制御部から出力されたＩ信号およびＱ信号に直交変調を施して変調信号を生成する直交変調部と、変調信号の送信電力を設定し、設定した送信電力を示す電力信号を出力する送信電力設定部と、変調信号の送信電力の値毎に、送信電力の値と、その送信電力で送信される変調信号に含まれるキャリアリーク量が、所定値以下となるＩ信号およびＱ信号の直流成分の変化量と、を対応付けて記憶する設定テーブルと、を有し、直流成分制御部は、Ｉ信号およびＱ信号の直流成分を、電力信号が示す送信電力に対応付けて設定テーブルに記憶されている変化量分だけ変化させる。【選択図】図１
2012085100.tif 000002
【特許請求の範囲】
【請求項１】
送信信号の同相成分であるＩ信号および直交成分であるＱ信号に直交変調を施して変調信号を生成する無線通信装置であって、
前記Ｉ信号およびＱ信号を出力するベースバンド部と、
前記ベースバンド部から出力された前記Ｉ信号およびＱ信号の直流成分を変化させて出力する直流成分制御部と、
前記直流成分制御部から出力された前記Ｉ信号およびＱ信号に直交変調を施して前記変調信号を生成する直交変調部と、
前記変調信号の送信電力を設定し、該設定した送信電力を示す電力信号を出力する送信電力設定部と、
前記変調信号を前記電力信号が示す送信電力で送信するＲＦ部と、
前記変調信号の送信電力の値毎に、送信電力の値と、該送信電力で送信される変調信号に含まれる、前記Ｉ信号およびＱ信号の直流成分に起因して発生するキャリアリーク量が、所定値以下となる前記Ｉ信号およびＱ信号の直流成分の変化量と、を対応付けて記憶する設定テーブルと、を有し、
前記直流成分制御部は、前記Ｉ信号およびＱ信号の直流成分を、前記電力信号が示す送信電力に対応付けて前記設定テーブルに記憶されている前記変化量分だけ変化させることを特徴とする無線通信装置。
【請求項２】
請求項１記載の無線通信装置において、
ローカル信号を出力する発振器と
前記発振器から出力された前記ローカル信号を低減させて、前記直交変調部に出力するバッファアンプと、をさらに有し、
前記直交変調部は、前記Ｉ信号に前記バッファアンプから出力された前記ローカル信号を乗算した信号と、前記Ｑ信号に前記ローカル信号の位相を９０°シフトした信号を乗算した信号と、を加算した信号を前記変調信号として生成し、
前記バッファアンプは、前記電力信号が示す送信電力が低いほど、前記ローカル信号を低減させることを特徴とする無線通信装置。
【請求項３】
送信信号の同相成分であるＩ信号および直交成分であるＱ信号に直交変調を施して変調信号を生成する無線通信装置に適用されるキャリアリーク低減方法であって、
ベースバンド部が、前記Ｉ信号およびＱ信号を出力し、
直流成分制御部が、前記ベースバンド部から出力された前記Ｉ信号およびＱ信号の直流成分を変化させて出力し、
直交変調部が、前記直流成分制御部から出力された前記Ｉ信号およびＱ信号に直交変調を施して前記変調信号を生成し、
送信電力設定部が、前記変調信号の送信電力を設定し、該設定した送信電力を示す電力信号を出力し、
設定テーブルが、前記変調信号の送信電力の値毎に、送信電力の値と、該送信電力で送信される変調信号に含まれる、前記Ｉ信号およびＱ信号の直流成分に起因して発生するキャリアリーク量が、所定値以下となる前記Ｉ信号およびＱ信号の直流成分の変化量と、を対応付けて記憶し、
ＲＦ部が、前記変調信号を前記電力信号が示す送信電力で送信し、
前記直流成分制御部が、前記Ｉ信号およびＱ信号の直流成分を、前記電力信号が示す送信電力に対応付けて前記設定テーブルに記憶されている前記変化量分だけ変化させることを特徴とするキャリアリーク低減方法。
【請求項４】
請求項３記載のキャリアリーク低減方法において、
発振器が、ローカル信号を出力し、
バッファアンプが、前記発振器から出力された前記ローカル信号を低減させて、前記直交変調部に出力し、
前記直交変調部が、前記Ｉ信号に前記バッファアンプから出力された前記ローカル信号を乗算した信号と、前記Ｑ信号に前記ローカル信号の位相を９０°シフトした信号を乗算した信号と、を加算した信号を前記変調信号として生成し、
前記バッファアンプが、前記電力信号が示す送信電力が低いほど、前記ローカルを低減させることを特徴とするキャリアリーク低減方法。
【発明の詳細な説明】
【技術分野】
【０００１】
本発明は、直交変調を行なう無線通信装置およびキャリアリーク低減方法に関する。
【背景技術】
【０００２】
一般に、携帯電話などの無線通信装置においては、ＱＰＳＫ（Quadrature Phase Shift Keying）、π／４シフトＱＰＳＫ、８ＰＳＫ、ＨＰＳＫ（Hybrid Phase Shift Keying）などの、送信信号をＩＱ平面上にマッピングする変調方式が用いられている。
【０００３】
上述したような無線通信装置は、送信信号の同相成分であるＩ信号と直交成分であるＱ信号とを生成するベースバンド部と、Ｉ信号およびＱ信号に直交変調を施して変調信号を生成する直交変調部と、を有する。なお、以下では、Ｉ信号およびＱ信号を合わせて、ＩＱ信号と称する。
【０００４】
ここで、直交変調部が直交変調を行う際に、ＩＱ信号に直流成分が残留していると、キャリアリーク信号と称される不要な信号が発生する。キャリアリーク信号が変調信号と比較して大きいと、変調信号の原点オフセットが大きくなり、変調精度（ＥＶＭ：Error Vector Magnitude）特性の劣化が生じたり、復調側でのエラーが増加したりする。
【０００５】
一般に、直交変調前のＩＱ信号には直流成分が必ず存在しており、また、その直交成分は、デバイスに依存してばらつく特性を有している。従って、直交変調部がＩＱ信号に直交変調を施す際には、デバイスに依存してばらつくＩＱ信号の直流成分をキャンセルする処理が必須となる。以下では、ＩＱ信号の直流成分をキャンセルする処理をＩＱオフセット調整と称する。
【０００６】
特許文献１（特開２００５−２１７９１１号公報）には、ＩＱ信号の直流成分を変化させる直流成分制御部を有し、直流成分制御部により、送信される変調信号のキャリアリーク量が所定値以下となるＩＱ信号の直流成分の変化量だけ、ベースバンド部から出力されたＩＱ信号の直流成分を変化させた後、直交変調を行なう無線通信装置が開示されている。なお、キャリアリーク量が所定値以下となるＩＱ信号の直流成分の変化量は、予め測定され、無線通信装置内で記憶されている。以下では、ＩＱ信号それぞれの直流成分の変化量をＩオフセット調整値およびＱオフセット調整値と称し、また、Ｉオフセット調整値およびＱオフセット調整値を合わせて、ＩＱオフセット調整値と称する。
【先行技術文献】
【特許文献】
【０００７】
【特許文献１】特開２００５−２１７９１１号公報
【発明の概要】
【発明が解決しようとする課題】
【０００８】
ところで、無線通信装置は、例えば、無線基地局の制御に従い、変調信号の送信電力を所定の範囲内で変化させる。
【０００９】
ここで、ＩＱオフセット調整値の測定は、通常、変調信号の送信電力が最大である状態でのＥＶＭ特性を良好に保つために、送信電力を最大に設定して行われる。
【００１０】
しかしながら、送信される変調信号のキャリアリーク量は、送信電力に応じて変化するので、ＩＱオフセット調整値も送信電力に応じて変化する。そのため、送信電力が最大である状態で測定したＩＱオフセット調整値を用いてＩＱオフセット調整を行っても、例えば、低送信電力状態では、キャリアリーク量を十分に低減することができない。
【００１１】
従って、特許文献１に開示の無線通信装置には、変調信号の全ての送信電力状態において、変調信号のキャリアリーク量を十分に低減することができないという課題がある。
【００１２】
本発明の目的は、上述した課題を解決することができる無線通信装置およびキャリアリーク低減方法を提供することにある。
【課題を解決するための手段】
【００１３】
上記目的を達成するために本発明の無線通信装置は、
送信信号の同相成分であるＩ信号および直交成分であるＱ信号に直交変調を施して変調信号を生成する無線通信装置であって、
前記Ｉ信号およびＱ信号を出力するベースバンド部と、
前記ベースバンド部から出力された前記Ｉ信号およびＱ信号の直流成分を変化させて出力する直流成分制御部と、
前記直流成分制御部から出力された前記Ｉ信号およびＱ信号に直交変調を施して前記変調信号を生成する直交変調部と、
前記変調信号の送信電力を設定し、該設定した送信電力を示す電力信号を出力する送信電力設定部と、
前記変調信号を前記電力信号が示す送信電力で送信するＲＦ部と、
前記変調信号の送信電力の値毎に、送信電力の値と、該送信電力で送信される変調信号に含まれる、前記Ｉ信号およびＱ信号の直流成分に起因して発生するキャリアリーク量が、所定値以下となる前記Ｉ信号およびＱ信号の直流成分の変化量と、を対応付けて記憶する設定テーブルと、を有し、
前記直流成分制御部は、前記Ｉ信号およびＱ信号の直流成分を、前記電力信号が示す送信電力に対応付けて前記設定テーブルに記憶されている前記変化量分だけ変化させる。
【００１４】
上記目的を達成するために本発明のキャリアリーク低減方法は、
送信信号の同相成分であるＩ信号および直交成分であるＱ信号に直交変調を施して変調信号を生成する無線通信装置に適用されるキャリアリーク低減方法であって、
ベースバンド部が、前記Ｉ信号およびＱ信号を出力し、
直流成分制御部が、前記ベースバンド部から出力された前記Ｉ信号およびＱ信号の直流成分を変化させて出力し、
直交変調部が、前記直流成分制御部から出力された前記Ｉ信号およびＱ信号に直交変調を施して前記変調信号を生成し、
送信電力設定部が、前記変調信号の送信電力を設定し、該設定した送信電力を示す電力信号を出力し、
設定テーブルが、前記変調信号の送信電力の値毎に、送信電力の値と、該送信電力で送信される変調信号に含まれる、前記Ｉ信号およびＱ信号の直流成分に起因して発生するキャリアリーク量が、所定値以下となる前記Ｉ信号およびＱ信号の直流成分の変化量と、を対応付けて記憶し、
ＲＦ部が、前記変調信号を前記電力信号が示す送信電力で送信し、
前記直流成分制御部が、前記Ｉ信号およびＱ信号の直流成分を、前記電力信号が示す送信電力に対応付けて前記設定テーブルに記憶されている前記変化量分だけ変化させる。
【発明の効果】
【００１５】
本発明によれば、無線通信装置は、変調信号の全ての送信電力状態において、変調信号のキャリアリーク量を抑制することができる。
【図面の簡単な説明】
【００１６】
【図１】本発明の第１の実施形態の無線通信装置の構成を示すブロック図である。
【図２】図１に示す設定テーブルの構成を示す図である。
【図３】測定システムの構成を示す図である。
【図４】図３に示す測定システムの動作を示すフローチャートである。
【図５】本発明の第２の実施形態の無線通信装置の構成を示すブロック図である。
【図６】図２に示す測定システムの他の動作を示すフローチャートである。
【図７】図５に示す設定テーブルの構成を示す図である。
【図８】図５に示す設定テーブルの他の構成を示す図である。
【発明を実施するための形態】
【００１７】
以下に、本発明を実施するための形態について図面を参照して説明する。
【００１８】
なお、本発明の無線通信装置は、変調信号を生成して送信する送信側の構成および動作に特徴を有するため、受信側の構成および動作については説明を省略する。
【００１９】
（第１の実施形態）
図１は、本発明の第１の実施形態の無線通信装置１００の構成を示すブロック図である。
【００２０】
図１に示す無線通信装置１００は、ＣＰＵ（Central Processing Unit）１１０と、ベースバンド部１２０と、ＲＦ部１３０と、を有する。
【００２１】
ＣＰＵ１１０は、送信電力設定部１１１を有する。
【００２２】
ベースバンド部１２０は、設定テーブル１２１を有する。
【００２３】
ＲＦ部１３０は、ＲＦＩＣ（Radio Frequency Integrated Circuit）１３１と、ＲＦ回路１３２と、アンテナ１３３と、Ｉ／Ｏポート１３４と、を有する。
【００２４】
ＲＦＩＣ１３１は、レジスタ１４１と、減算器１４２，１４３と、発振器１４４と、バッファアンプ１４５と、直交変調部１４６と、可変ゲインアンプ１４７と、を有する。減算器１４２，１４３は、直流成分制御部の一例である。
【００２５】
ＲＦ回路１３２は、切り替えスイッチ１５１を有する。
【００２６】
ＣＰＵ１１０は、無線通信装置１００全体の制御を行う。また、ＣＰＵ１１０は、送信信号をベースバンド部１２０に出力する。
【００２７】
送信電力設定部１１１は、例えば、無線基地局の制御に従い、変調信号の送信電力を設定し、設定した送信電力を示す電力信号を設定テーブル１２１に出力する。
【００２８】
ベースバンド部１２０は、ＣＰＵ１１０より出力された送信信号から、ＩＱ信号を生成し、Ｉ信号を減算器１４２に出力し、Ｑ信号を減算器１４３に出力する。
【００２９】
設定テーブル１２１は、変調信号の送信電力の値に対応付けて、その送信電力で変調信号が送信されるように可変ゲインアンプ１４７のゲインを調整するために、送信電力に応じて設定されるＴｘＡＧＣ設定値と、その送信電力で送信される変調信号のキャリアリーク量が所定値以下となるＩＱオフセット調整値と、を記憶する。
【００３０】
図２に設定テーブル１２１の構成を示す。
【００３１】
図２に示すように、設定テーブル１２１は、変調信号の送信電力の値毎に、送信電力とＴｘＡＧＣ設定値およびＩＱオフセット調整値とを対応付けて記憶する。なお、ＩＱオフセット調整値は、送信電力毎に測定される。ＩＱオフセット調整値の測定方法については後述する。
【００３２】
再び、図１を参照すると、設定テーブル１２１は、電力信号が示す送信電力の値に対応付けられたＴｘＡＧＣ設定値とＩＱオフセット調整値とをレジスタ１４１に出力する。
【００３３】
ＲＦ部１３０は、ＩＱ信号に直交変調を施して変調信号を生成し、出力する。
【００３４】
ＲＦＩＣ１３１は、ＩＱ信号に直交変調を施して変調信号を生成し、ＲＦ回路１３２に出力する。
【００３５】
レジスタ１４１は、設定テーブル１２１から出力されたＴｘＡＧＣ設定値とＩＱオフセット調整値とを記憶し、Ｉオフセット調整値を減算器１４２に出力し、Ｑオフセット調整値を減算器１４３に出力し、ＴｘＡＧＣ設定値を可変ゲインアンプ１４７に出力する。
【００３６】
減算器１４２は、ベースバンド部１２０より出力されたＩ信号からＩオフセット調整値を減算して、直交変調部１４６に出力する。
【００３７】
減算器１４３は、ベースバンド部１２０より出力されたＱ信号からＱオフセット調整値を減算して、直交変調部１４６に出力する。
【００３８】
減算器１４２，１４３により、ベースバンド部１２０より出力されたＩＱ信号からＩＱオフセット調整値が減算されることで、ＩＱオフセット調整が行われる。
【００３９】
発振器１４４は、搬送波であるローカル信号を出力する。
【００４０】
バッファアンプ１４５は、発振器１４４と直交変調部１４６との間に設けられ、発振器１４４から出力されたローカル信号をそのまま、または、一定のゲインで増幅して直交変調部１４６に出力する。
【００４１】
なお、ＩＱ信号や変調信号が発振器１４４側に漏れることがある。ＩＱ信号や変調信号が発振器１４４側に漏れると、発振器１４４が出力するローカル信号の周波数にずれが生じてしまうが、発振器１４４と直交変調部１４６との間にバッファアンプ１４５を設けることで、ＩＱ信号および変調信号の発振器１４４側への漏れを防ぐことができる。
【００４２】
直交変調部１４６は、減算器１４２，１４３から出力されたＩＱ信号に直交変調を施して変調信号を生成する。具体的には、直交変調部１４６は、減算器１４２から出力されたＩ信号にローカル信号を乗算した信号と、減算器１４３から出力されたＱ信号にローカル信号の位相を９０°シフトした信号を乗算した信号と、を加算した信号を変調信号として出力する。
【００４３】
なお、直交変調部１４６の内部構成は、当業者にとってよく知られており、本発明と直接関係しないため、説明を省略する。
【００４４】
直交変調部１４６は、生成した変調信号を可変ゲインアンプ１４７に出力する。
【００４５】
可変ゲインアンプ１４７は、直交変調部１４６から出力された変調信号をレジスタ１４１から出力されたＴｘＡＧＣ設定値に応じたゲインで増幅し、ＲＦ回路１３２に出力する。レジスタ１４１から出力されたＴｘＡＧＣ設定値は送信電力設定部１１１により設定された送信電力に対応付けられたものであるので、可変ゲインアンプ１４７は、そのＴｘＡＧＣ設定値に応じたゲインで変調信号を増幅することで、設定された送信電力の変調信号を出力することができる。このような可変ゲインアンプ１４７のゲイン制御は、ＡＧＣ（自動利得制御：Automatic Gain Control）と称される。
【００４６】
ＲＦ回路１３２は、可変ゲインアンプ１４７から出力された変調信号を、アンテナ１３３またはＩ／Ｏポート１３４に出力する。
【００４７】
切り替えスイッチ１５１は、可変ゲインアンプ１４７から出力された変調信号の出力先をアンテナ１３３とＩ／Ｏポート１３４との間で切り替える。なお、切り替えスイッチ１５１は、通常、アンテナ１３３に変調信号を出力する。
【００４８】
アンテナ１３３は、切り替えスイッチ１５１を介して可変ゲインアンプ１４７から出力された変調信号を送信する。
【００４９】
Ｉ／Ｏポート１３４は、同軸端子からなり、外部装置と接続され、切り替えスイッチ１５１を介して可変ゲインアンプ１４７から出力された変調信号を外部装置に出力する。また、Ｉ／Ｏポート１３４は、外部装置から種々の指示が入力されると、その指示をＣＰＵ１１０に出力する。
【００５０】
次に、本実施形態の無線通信装置１００による変調信号の送信動作について説明する。
【００５１】
ＣＰＵ１１０は、送信信号をベースバンド部１２０に出力する。
【００５２】
ベースバンド部１２０は、ＣＰＵ１１０より出力された送信信号から、ＩＱ信号を生成し、Ｉ信号を減算器１４２に出力し、Ｑ信号を減算器１４３に出力する。
【００５３】
送信電力設定部１１１は、変調信号の送信電力を設定し、その送信電力を示す電力信号を設定テーブル１２１に出力する。
【００５４】
設定テーブル１２１は、電力信号が示す送信電力に対応付けられたＴｘＡＧＣ設定値とＩＱオフセット調整値とをレジスタ１４１に出力する。
【００５５】
レジスタ１４１は、設定テーブル１２１から出力された、Ｉオフセット調整値を減算器１４２に出力し、Ｑオフセット調整値を減算器１４３に出力し、ＴｘＡＧＣ設定値を可変ゲインアンプ１４７に出力する。
【００５６】
減算器１４２，１４３は、ベースバンド部１２０より出力されたＩＱ信号からＩＱオフセット調整値を減算してＩＱオフセット調整を行い、ＩＱオフセット調整を行ったＩＱ信号を直交変調部１４６に出力する。
【００５７】
発振器１４４は、ローカル信号を出力し、バッファアンプ１４５は、発振器１４４から出力されたローカル信号を直交変調部１４６に出力する。
【００５８】
直交変調部１４６は、減算器１４２，１４３から出力されたＩＱ信号にローカル信号を用いて直交変調を施して変調信号を生成し、可変ゲインアンプ１４７に出力する。
【００５９】
ここで、減算器１４２，１４３によるＩＱオフセット調整は、電力信号が示す送信電力で送信される変調信号のキャリアリーク量が所定値以下となるＩＱオフセット調整値により行われているので、変調信号のキャリアリーク量は所定値以下となる。
【００６０】
可変ゲインアンプ１４７は、直交変調部１４６から出力された変調信号をＴｘＡＧＣ設定値に応じたゲインで増幅し、ＲＦ回路１３２に出力する。ＲＦ回路１３２は、切り替えスイッチ１５１を介して変調信号をアンテナ１３３に出力し、アンテナ１３３に変調信号を送信させる。
【００６１】
次に、ＩＱオフセット調整値の測定方法について説明する。
【００６２】
図３は、ＩＱオフセット調整値を測定する測定システム２００の構成を示す図である。なお、図３において、図１と同様の構成については、同じ符号を付し、説明を省略する。
【００６３】
図３に示す測定システム２００は、無線通信装置１００と、スペクトルアナライザ（ＳＡ）２１０と、パーソナルコンピュータ（ＰＣ）２２０と、を有する。
【００６４】
なお、無線通信装置１００は、図１では不図示のメモリ部１６０と、電源部１７０と、バッテリー１８０と、をさらに有する。また、図３においては、無線通信装置１００のＣＰＵ１１０およびベースバンド部１２０の内部構成については記載を省略し、また、ＲＦ部１３０のうち、ＲＦＩＣ１３１の記載を省略している。
【００６５】
メモリ部１６０は、制御情報などを記憶する。メモリ部１６０に記憶された制御情報などは、ＣＰＵ１１０により読み取られる。
【００６６】
電源部１７０は、ＣＰＵ１１０の制御に従い、バッテリー１８０から供給された電力を各部に供給する。
【００６７】
ＳＡ２１０は、Ｉ／Ｏポート１３４に接続され、Ｉ／Ｏポート１３４を介して出力された変調信号のキャリアリーク量を測定し、測定結果をＰＣ２２０に出力する。
【００６８】
ＰＣ２２０は、例えば、ＧＰＩＢ（General Purpose Interface Bus）を介してＳＡ２１０と接続される。また、ＰＣ２２０は、Ｉ／Ｏポート１３４に接続され、Ｉ／Ｏポート１３４を介して、ＴｘＡＧＣ設定値、ＩＱオフセット調整値、測定開始コマンドなどをＣＰＵ１１０に入力する。
【００６９】
次に、測定システム２００によるＩＱオフセット調整値の測定動作について、図４に示すフローチャートを参照して説明する。
【００７０】
なお、設定テーブル１２１は、送信電力の値毎に、ＴｘＡＧＣ設定値および所定のＩＱオフセット調整値を記憶しているものとする。
【００７１】
切り替えスイッチ１５１は、Ｉ／Ｏポート１３４にＳＡ２１０およびＰＣ２２０が接続されたことを検出すると、変調信号の出力先をＩ／Ｏポート１３４に切り替える。
【００７２】
ＰＣ２２０は、測定開始コマンドをＩ／Ｏポート１３４を介してＣＰＵ１１０に入力する。ＣＰＵ１１０は、測定開始コマンドが入力されると、送信信号をベースバンド部１２０に出力する。ベースバンド部１２０は、その送信信号からＩＱ信号を生成し、Ｉ信号を減算器１４２に出力し、Ｑ信号を減算器１４３に出力する。
【００７３】
ＰＣ２２０は、変調信号の送信電力を最大に設定するようにＣＰＵ１１０に指示する（ステップＳ１０１）。送信電力設定部１１１は、ＰＣ２２０から指示された送信電力を示す電力信号を設定テーブル１２１に出力する。
【００７４】
電力信号が出力されると、設定テーブル１２１は、レジスタ１４１を介して、Ｉオフセット調整値を減算器１４２に、Ｑオフセット調整値を減算器１４３に、ＴｘＡＧＣ設定値を可変ゲインアンプ１４７に出力する。なお、ＰＣ２２０からは送信電力を最大にするように指示されているので、ＴｘＡＧＣ設定値は最大となる。
【００７５】
以下、減算器１４２，１４３によるＩＱオフセット調整、直交変調部１４６による直交変調、可変ゲインアンプ１４７による変調信号の増幅が行なわれる。
【００７６】
上述したように、変調信号の出力先はＩ／Ｏポート１３４に切り替えられているので、可変ゲインアンプ１４７から出力された変調信号は、Ｉ／Ｏポート１３４を介してＳＡ２１０に出力される。
【００７７】
ＳＡ２１０は、Ｉ／Ｏポート１３４を介して出力された変調信号のキャリアリーク量を測定し（ステップＳ１０２）、測定結果をＰＣ２２０に出力する。
【００７８】
ＰＣ２２０は、ＳＡ２１０により測定されたキャリアリーク量が規定値以下であるか否かを判定する（ステップＳ１０３）。
【００７９】
キャリアリーク量が規定値以下でない場合（ステップＳ１０３：Ｎｏ）、ＰＣ２２０は、ＩＱオフセット調整値を変更する。
【００８０】
ここで、ＩＱ信号は２次元信号であるため、ＩＱオフセット調整値を同時に調整することは困難である。そこで、ＰＣ２２０は、ＩＱ信号の直交性を利用して、ＩＱオフセット調整値を、一方ずつ調整する。
【００８１】
具体的には、まず、ＰＣ２２０は、Ｉオフセット調整値を固定し、Ｑオフセット調整値を変更するようにＣＰＵ１１０に指示する（ステップＳ１０４）。ＣＰＵ１１０は、ＰＣ２２０からの指示に従い、ステップＳ１０１で設定された送信電力の値に対応付けて設定テーブル１２１に記憶されているＱオフセット調整値を、変更後のＱオフセット調整値に更新する。設定テーブル１２１は、レジスタ１４１を介して、ステップＳ１０１で設定された送信電力の値に対応付けられた、Ｉオフセット調整値を減算器１４２に、変更後のＱオフセット調整値を減算器１４３に出力する。
【００８２】
以下、減算器１４２，１４３によるＩＱオフセット調整、直交変調部１４６による直交変調、可変ゲインアンプ１４７による変調信号の増幅、および、ＳＡ２１０による変調信号のキャリアリーク量の測定が行なわれる。
【００８３】
キャリアリーク量が規定値以下となると（ステップＳ１０３：Ｙｅｓ）、ＰＣ２２０は、その時点でのＱオフセット調整値を最適値であるとし、Ｑオフセット調整値を求めた最適値に固定し、Ｉオフセット調整値を変更するようにＣＰＵ１１０に指示する。
【００８４】
ＰＣ２２０は、Ｉオフセット調整値についてもステップＳ１０２からＳ１０４の処理を繰り返し、キャリアリーク量が規定値以下となるＩオフセット調整値を求め、その求めたＩオフセット調整値を最適値であるとする。さらに、ＰＣ２２０は、Ｉオフセット調整値を求めた最適値に固定し、Ｑオフセット調整値を変更するようにＣＰＵ１１０に指示する。
【００８５】
ＰＣ２２０は、ステップＳ１０２からＳ１０４までの処理をＩオフセット調整値およびＱオフセット調整値が変わらなくなるまで繰り返す。
【００８６】
ＩＱオフセット調整値が変わらなくなると、ＰＣ２２０は、その時点でのＩＱオフセット調整値をステップＳ１０１で設定した送信電力に対応付けて記憶させるようにＣＰＵ１１０に指示し、ＣＰＵ１１０は、そのＩＱオフセット調整値を設定テーブル１２１に記憶させる（ステップＳ１０５）。
【００８７】
次に、ＰＣ２２０は、送信電力を下げるようにＣＰＵ１１０に指示する（ステップＳ１０６）。ＣＰＵ１１０は、ＰＣ２２０から指示された送信電力に対応するＴｘＡＧＣ設定値が最小値より小さいか否かを判定する（ステップＳ１０７）。
【００８８】
ＴｘＡＧＣ設定値が最小値より小さくない場合（ステップＳ１０７：Ｎｏ）、送信電力設定部１１１は、ＰＣ２２０から指示された送信電力を示す電力信号を出力し、ステップＳ１０２の処理に戻る。
【００８９】
一方、ＴｘＡＧＣ設定値が最小値より小さい場合（ステップＳ１０７：Ｙｅｓ）、ＰＣ２２０は、処理を終了する。
【００９０】
このように、本実施形態によれば、無線通信装置１００は、変調信号の送信電力の値に、その送信電力で送信される変調信号のキャリアリーク量が所定値以下となるＩＱオフセット調整値を対応付けて記憶し、設定された変調信号の送信電力に対応付けられたＩＱオフセット調整値を用いてＩＱオフセット調整を行う。
【００９１】
そのため、変調信号の全ての送信電力状態において、変調信号のキャリアリーク量を低減し、ＥＶＭ特性の劣化を抑制することができる。
【００９２】
（第２の実施形態）
近年のＬＳＩレイアウトの高密度化にともない、ＲＦＩＣ１３１内で変調信号へのローカル信号の漏れが発生することが懸念される。その漏れ信号によりキャリアリークが発生し、変調信号の送信電力が低い場合には、ＥＶＭ特性劣化を招く可能性がある。
【００９３】
そこで、本実施形態の無線通信装置３００は、変調信号の送信電力に応じて、ローカル信号を低減させることで、変調信号の送信電力が低い場合にも、キャリアリーク量を低減する。上記動作を実施するために、図５に示す本実施形態の無線通信装置３００は、第１の実施形態の無線通信装置１００と比較して、以下の点が異なる。
【００９４】
すなわち、無線通信装置３００は、第１の実施形態の無線通信装置１００と比較して、設定テーブル１２１を設定テーブル３２１に変更した点と、レジスタ１４１をレジスタ３４１に変更した点と、バッファアンプ１４５をバッファアンプ３４５に変更した点と、が異なる。なお、図５において、図１と同様の構成については同じ符号を付し、説明を省略する。
【００９５】
設定テーブル３２１は、変調信号の送信電力の値に、その送信電力が送信電力設定部１１１により設定された場合に、可変ゲインアンプ１４７から出力される変調信号の送信電力が、その設定値と等しくなるバッファアンプ３４５のゲイン（バッファアンプゲイン）を対応付けてさらに記憶する。なお、設定テーブル３２１に記憶されるバッファアンプゲインは、測定システム２００により測定される。測定システム２００によるバッファアンプゲインの測定方法については後述する。
【００９６】
また、設定テーブル３２１は、送信電力設定部１１１から電力信号が出力されると、その電力信号が示す送信電力に対応付けられたバッファアンプゲインをレジスタ３４１に出力する。
【００９７】
レジスタ３４１は、設定テーブル３２１から出力されたバッファアンプゲインをバッファアンプ３４５に出力する。
【００９８】
バッファアンプ３４５は、レジスタ３４１から出力されたバッファアンプゲインに応じてローカル信号を低減する。
【００９９】
第１の実施形態においては、バッファアンプ１４５は、発振器１４４から出力されたローカル信号を、そのまま、または一定のゲインで増幅して、直交変調部１４６に出力していたが、本実施形態においては、バッファアンプ３４５は、レジスタ３４１から出力されたバッファアンプゲインに応じて、ローカル信号を低減する。ここで、変調信号の送信電力に対応付けられたバッファアンプゲインでローカル信号を低減させることで、変調信号の送信電力に応じて、ローカル信号も低減されることになり、変調信号への漏れが発生しにくくなる。
【０１００】
次に、測定システム２００によるバッファアンプゲインの測定動作について、図６に示すフローチャートを参照して説明する。なお、図６において、図４と同様の処理については同じ符号を付し、説明を省略する。
【０１０１】
また、設定テーブル３２１は、ＴｘＡＧＣ設定値、ＩＱオフセット調整値、および、所定のバッファアンプゲインを記憶しているものとする。
【０１０２】
切り替えスイッチ１５１は、Ｉ／Ｏポート１３４にＳＡ２１０およびＰＣ２２０が接続されたことを検出すると、変調信号の出力先をＩ／Ｏポート１３４に切り替える。
【０１０３】
ステップＳ１０１においてＰＣ２２０から変調信号の送信電力を最大にするように指示されると、送信電力設定部１１１は、ＰＣ２２０から指示された送信電力を示す電力信号を設定テーブル３２１に出力する。
【０１０４】
電力信号が出力されると、設定テーブル３２１は、レジスタ３４１を介して、Ｉオフセット調整値を減算器１４２に、Ｑオフセット調整値を減算器１４３に、ＴｘＡＧＣ設定値を可変ゲインアンプ１４７に、バッファアンプゲインをバッファアンプ３４５に出力する。なお、ＰＣ２２０からは送信電力を最大にするように指示されているので、ＴｘＡＧＣ設定値も最大となる。
【０１０５】
以下、減算器１４２，１４３によるＩＱオフセット調整、直交変調部１４６による直交変調、可変ゲインアンプ１４７による変調信号の増幅が行なわれ、変調信号がＲＦ回路１３２に出力される。
【０１０６】
上述したように、変調信号の出力先はＩ／Ｏポート１３４に切り替えられているので、可変ゲインアンプ１４７から出力された変調信号は、Ｉ／Ｏポート１３４を介してＳＡ２１０に出力される。
【０１０７】
ＳＡ２１０は、Ｉ／Ｏポート１３４を介して出力された変調信号の実送信電力を測定し（ステップＳ２０１）、測定結果をＰＣ２２０に出力する。
【０１０８】
ＰＣ２２０は、ＳＡ２１０により測定された実送信電力が、ステップＳ１０１で設定された送信電力より大きいか否かを判定する（ステップＳ２０２）。
【０１０９】
実送信電力が設定値以下である場合（ステップＳ２０２：Ｎｏ）、ＰＣ２２０は、送信電力の設定値を下げるようにＣＰＵ１１０に指示し（ステップＳ２０３）、ステップＳ２０１の処理に戻る。
【０１１０】
ステップＳ２０３の処理により送信電力の設定値を下げていくと、変調信号へのローカル信号の漏れ信号の電力が、変調信号の送信電力と比較して相対的に高くなり、実送信電力が下がらなくなる。そうすると、実送信電力が設定値より大きくなる。この場合、キャリアリークによりＥＶＭ特性が劣化する。
【０１１１】
実送信電力が設定値より大きい場合（ステップＳ２０２：Ｙｅｓ）、ＰＣ２２０は、バッファアンプゲインを下げるようにＣＰＵ１１０に指示する（ステップＳ２０４）。
【０１１２】
ＣＰＵ１１０は、ＰＣ２２０の指示に従い、ステップＳ１０１で設定された送信電力に対応付けて設定テーブル１２１に記憶されているバッファアンプゲインを、変更後のバッファアンプゲインに更新する。設定テーブル１２１は、レジスタ３４１を介して、ステップＳ１０１で設定された送信電力に対応付けられた変更後のバッファアンプゲインをバッファアンプ３４５に出力する。
【０１１３】
バッファアンプ３４５は、レジスタ３４１から出力されたバッファアンプゲインに応じてローカル信号を低減させる。ここで、ＰＣ２２０からは、バッファアンプゲインを下げるように指示されているので、バッファアンプ３４５から出力されるローカル信号は、バッファアンプゲインの変更前よりも低減する。
【０１１４】
バッファアンプゲインが下がると、直交変調部１４６に入力されるローカル信号が小さくなるので、変調信号への漏れが発生しにくくなる。
【０１１５】
ＳＡ２１０は、Ｉ／Ｏポート１３４を介して変調信号が出力されると、その変調信号の実送信電力を測定し（ステップＳ２０５）、測定結果をＰＣ２２０に出力する。
【０１１６】
ＰＣ２２０は、実送信電力が設定値と等しいか否かを判定する（ステップＳ２０６）。
【０１１７】
実送信電力が設定値と等しくない場合（ステップＳ２０６：Ｎｏ）、ＰＣ２２０は、ステップＳ２０４の処理に戻る。
【０１１８】
実送信電力が設定値と等しい場合（ステップＳ２０６：Ｙｅｓ）、ＰＣ２２０は、ＣＰＵ１１０にその時点でのバッファアンプゲインをステップＳ１０１で設定した送信電力に対応付けて記憶させるようにＣＰＵ１１０に指示し、ＣＰＵ１１０は、そのバッファアンプゲインを送信電力に対応付けて設定テーブル３２１に記憶させる（ステップＳ２０７）。
【０１１９】
図７は、設定テーブル３２１の構成を示す図である。
【０１２０】
図７に示すように、設定テーブル３２１は、変調信号の送信電力の値毎に、各送信電力とＴｘＡＧＣ設定値、オフセット調整値、および、バッファアンプゲインとを対応付けて記憶する。ここで、バッファアンプゲインは、変調信号の送信電力が大きい間は所定値で一定であるが、送信電力の低下に伴い、徐々に低下する。そのため、変調信号の送信電力が低い場合には、ローカル信号も低減されるので、ローカル信号の漏れによるキャリアリークの発生を抑制することができる。
【０１２１】
このように、本実施形態の無線通信装置３００は、変調信号の送信電力に応じてローカル信号を低減させる。
【０１２２】
そのため、変調信号の送信電力が低い場合にも、変調信号へのローカル信号の漏れによるキャリアリークが発生しにくくなり、ＥＶＭ特性の劣化を抑制することができる。
【０１２３】
なお、本実施形態においては、送信電力に応じたＩＱオフセット調整値によるＩＱオフセット調整とバッファアンプゲインの調整とを行なう例を説明したがこれに限られるものではない。
【０１２４】
例えば、無線通信装置３００は、図８に示すように、変調信号の送信電力の値毎に、ＴｘＡＧＣ設定値およびバッファアンプゲインを設定テーブル３２１に記憶させ、送信電力に応じてバッファアンプゲインのみを調整するようにしてもよい。この場合、無線通信装置３００は、例えば、所定のＩＱオフセット調整値を用いてＩＱオフセット調整を行う。
【符号の説明】
【０１２５】
１００，３００    無線通信装置
１１０    ＣＰＵ
１１１    送信電力設定部
１２０    ベースバンド部
１２１，３２１    設定テーブル
１３０    ＲＦ部
１３１    ＲＦＩＣ
１３２    ＲＦ回路
１３３    アンテナ
１３４    Ｉ／Ｏポート
１４１，３４１    レジスタ
１４２，１４３    減算器
１４４    発振器
１４５，３４５    バッファアンプ
１４６    直交変調部
１４７    可変ゲインアンプ
１５１    切り替えスイッチ
２００    測定システム
２１０    スペクトルアナライザ（ＳＡ）
２２０    パーソナルコンピュータ（ＰＣ）
【図１】
2012085100.tif 000003
【図２】
2012085100.tif 000004
【図３】
2012085100.tif 000005
【図４】
2012085100.tif 000006
【図５】
2012085100.tif 000007
【図６】
2012085100.tif 000008
【図７】
2012085100.tif 000009
【図８】
2012085100.tif 000010